(57)【要約】【課題】作画依頼者の特徴部分を自動的に強調できるようにすると共に、作画依頼者の好みを反映するができるようにした似顔絵作成装置の提供。【解決手段】顔の輪郭における理想的な縦横比、及び面積比を記憶し、輪郭抽出手段が抽出した作画依頼者の輪郭における縦横比、及び上下の面積比を前記理想的な縦横比、及び面積比に近づけるよう制御する輪郭特徴強調手段と、顔における各要素部位の理想的な縦横比と水平線に対する傾斜角度のデータを記憶し、要素部位抽出手段の抽出した顔の要素部位毎に縦横比や傾斜角度を理想的な値に近づけるよう変化させる要素部位強調手段とで似顔絵作成装置を構成し、合わせてユーザインターフェイスによって似顔絵の修正ができるようにしたことを特徴とする。【選択図】　　図１
2004110728.tif 000002
【特許請求の範囲】
【請求項１】
作画依頼者を撮像する撮像装置と、該撮像装置の撮像結果から作画依頼者の顔の輪郭を抽出する輪郭抽出手段と、作画依頼者の顔における要素部位を抽出する要素部位抽出手段とを有し、顔における特徴部分を強調して似顔絵を作成する似顔絵作成装置において、
顔の輪郭における理想的な縦横比、及び面積比を記憶し、前記輪郭抽出手段が抽出した作画依頼者の輪郭における縦横比、及び上下の面積比を前記理想的な縦横比、及び面積比に近づけるよう制御する輪郭特徴強調手段と、顔における各要素部位の理想的な縦横比と水平線に対する傾斜角度のデータを記憶し、前記要素部位抽出手段の抽出した顔の要素部位毎に縦横比や傾斜角度を理想的な値に近づけるよう変化させる要素部位強調手段とからなり、撮像した作画依頼者における顔の輪郭と要素部位を理想的な輪郭と要素部位に強調して似顔絵を作成することを特徴とする似顔絵作成装置。
【請求項２】
前記作成した似顔絵を表示する表示手段と、該表示手段に表示した似顔絵の輪郭や要素部位の強調処理に対する作画依頼者の変更要求を前記輪郭特徴強調手段と要素部位特徴強調手段とに伝えるインターフェイスとを有し、前記作画依頼者の変更要求に従って似顔絵の強調内容を変更できるようにしたことを特徴とする請求項１に記載した似顔絵作成装置。
【請求項３】
作画依頼者を撮像する撮像装置と、該撮像装置の撮像結果から作画依頼者の顔の輪郭を抽出する輪郭抽出手段と、作画依頼者の顔における要素部位を抽出する要素部位抽出手段とを有し、顔における特徴部分を強調して似顔絵を作成する似顔絵作成装置において、
顔の輪郭における理想的な縦横比、及び面積比を記憶し、前記輪郭抽出手段が抽出した作画依頼者の輪郭における縦横比、及び上下の面積比を前記理想的な縦横比、及び面積比に近づけるよう制御する輪郭特徴強調手段と、顔における各要素部位の画像データを収容した要素部位データ記憶装置と、該要素部位データ記憶装置に記憶した要素部位を表示して作画依頼者により選択できるようにしたインターフェイスとで構成され、作画依頼者における顔の輪郭を理想的な輪郭とすると共に前記インターフェイスを介して作画依頼者が選択した要素部位を配置して似顔絵を作成することを特徴とする似顔絵作成装置。
【請求項４】
作画依頼者を撮像する撮像装置と、該撮像装置の撮像結果から作画依頼者の顔の輪郭を抽出する輪郭抽出手段と、作画依頼者の顔における要素部位を抽出する要素部位抽出手段とを有し、顔における特徴部分を強調して似顔絵を作成する似顔絵作成装置において、
顔の輪郭における理想的な縦横比、及び面積比を記憶し、前記輪郭抽出手段が抽出した作画依頼者の輪郭における縦横比、及び上下の面積比を前記理想的な縦横比、及び面積比に近づけるよう制御する輪郭特徴強調手段と、有名人の顔画像データを収容した顔画像データ記憶装置と、該顔画像データ記憶装置に記憶した顔画像を表示し、該顔画像における要素部位を作画依頼者により選択できるようにしたインターフェイスとで構成され、作画依頼者における顔の輪郭を理想的な輪郭とすると共に前記インターフェイスを介して作画依頼者が選択した有名人の顔の要素部位を配置して似顔絵を作成することを特徴とする似顔絵作成装置。
【請求項５】
前記インターフェイスは、表示手段に表示した似顔絵の輪郭に対する作画依頼者の変更要求を前記輪郭特徴強調手段に伝え、作画依頼者の変更要求に従って似顔絵の強調内容を変更できるようにしたことを特徴とする請求項３または４のいずれかに記載した似顔絵作成装置。
【請求項６】
前記似顔絵を作成する課程で強調結果を記憶するワークメモリを有し、前記インターフェイスを介してワークメモリ内の似顔絵を直接変更できるようにしたことを特徴とする請求項２乃至５のいずれかに記載した似顔絵作成装置。
【発明の詳細な説明】
【０００１】
【発明の属する技術分野】
本発明は似顔絵作成装置に関し、特に、作画依頼者の特徴部分を自動的に強調できるようにすると共に作画依頼者の好みを反映するができるようにした似顔絵作成装置に関するものである。
【０００２】
【従来の技術】
クレジットカード、ＩＤカードなどにおいては、悪用を避けるために持ち主の写真を貼付するといったことが行われているが、写真だと容易に写真の取り替えができて真の持ち主の確認が困難になるため、持ち主の似顔絵をデータ化して添付し、本人の確認をこのデータで行うようにする方式が検討されている。また、電子メールなどに単に文章だけでなく、差出人本人の似顔絵を添付して送るといったことも盛んに行われており、こういった要求に応えるため、似顔絵を容易に、しかも作画依頼者の好みを反映して作成できるようにすることが望まれている。
【０００３】
そのため、撮像装置で人物を撮像し、得られた画像データを処理して似顔絵を作成する方法や装置が種々提案されており、例えば特許文献１には、クレジットカードなどに顔の画像データを小容量で記憶できるようにするため、顔における眉、目、鼻、口などの要素部位を多数記憶したデータベースを設け、カメラで撮影した顔を構成する各要素部位をこのデータベースに記憶された要素部位と比較し、最も似ている要素部位によって作画依頼者の顔を表すデータとして要素部位の識別データと表示位置データをカードに記憶し、そのデータによって持ち主の似顔絵を表示できるようにした方法が示されている。
【０００４】
また特許文献２乃至４には、予め複数の顔要素部位データを記憶しておき、撮像結果から髪、眉、目、鼻、口などの顔における要素部位を抽出して前記顔要素部位データと対応付け、この対応付けた要素部位データを顔の輪郭内に配置して似顔絵を作る方法が示されている。さらに特許文献５には、画像センサによって人物を撮像し、画像処理によって頭部領域を抽出した後人物の顔の特徴点位置を検出すると共に顔輪郭を確定し、顔における要素部位などを特別に記憶しておくことなく、顔の特徴点を強調した似顔絵を作成する画像加工部を備えた似顔絵生成装置が示されている。
【０００５】
【特許文献１】
特開平９−４４６４３号公報（図１）
【特許文献２】
特開平９−２８２４４０号公報（図１）
【特許文献３】
特開平１０−２５５０１７号公報（特許３１３９６１７号）（図１）
【特許文献４】
特開２０００−３１１２４８号公報（図１）
【特許文献５】
特開２００２−１７５５３８号公報（図１）
【０００６】
【発明が解決しようとする課題】
しかしながら特許文献１に示された方法は、作画依頼者の顔を小容量のデータでなるべく忠実に再現することを目的としたものであり、人間によって描画される似顔絵のように特徴部分を強調する、といったことはできないと共に作画依頼者の好みを反映するといったこともできない。また、特許文献２乃至４に示された装置は、予め用意した顔要素部位のデータによって作画依頼者に似た似顔絵を作ることができるが、人間によって描画される似顔絵のように特徴部分を強調するといったことはできず、作画依頼者の好みを反映するといったこともできない。さらに特許文献５に記載された装置は、こういった顔要素部位のデータを持たずに似顔絵を作ることができ、また、顔輪郭を太らせたり痩せさせたり、目の太さや目尻の方向などを変化させ、笑った顔や怒った顔を自動的に作成するなどの機能を有しはするが、これらは自動的に生成するものであって作画依頼者の好みを反映するといったことはできない。
【０００７】
そのため本発明においては、作画依頼者の特徴部分を自動的に強調できるようにすると共に、作画依頼者の好みを反映することができるようにした似顔絵作成装置を提供することが課題である。
【０００８】
【課題を解決するための手段】
そのため、請求項１に記載した発明は、
作画依頼者を撮像する撮像装置と、該撮像装置の撮像結果から作画依頼者の顔の輪郭を抽出する輪郭抽出手段と、作画依頼者の顔における要素部位を抽出する要素部位抽出手段とを有し、顔における特徴部分を強調して似顔絵を作成する似顔絵作成装置において、
顔の輪郭における理想的な縦横比、及び面積比を記憶し、前記輪郭抽出手段が抽出した作画依頼者の輪郭における縦横比、及び上下の面積比を前記理想的な縦横比、及び面積比に近づけるよう制御する輪郭特徴強調手段と、顔における各要素部位の理想的な縦横比と水平線に対する傾斜角度のデータを記憶し、前記要素部位抽出手段の抽出した顔の要素部位毎に縦横比や傾斜角度を理想的な値に近づけるよう変化させる要素部位強調手段とからなり、撮像した作画依頼者における顔の輪郭と要素部位を理想的な輪郭と要素部位に強調して似顔絵を作成することを特徴とする。
【０００９】
このようにすることにより、顔の輪郭は理想的な縦横比及び面積比にでき、顔における各要素部位も、縦横比や傾斜角度を理想的な値に近づけた似顔絵が自動的に作成でき、作画依頼者にとって好ましい似顔絵を作成できる。
【００１０】
そして請求項３に記載した発明は、
作画依頼者を撮像する撮像装置と、該撮像装置の撮像結果から作画依頼者の顔の輪郭を抽出する輪郭抽出手段と、作画依頼者の顔における要素部位を抽出する要素部位抽出手段とを有し、顔における特徴部分を強調して似顔絵を作成する似顔絵作成装置において、
顔の輪郭における理想的な縦横比、及び面積比を記憶し、前記輪郭抽出手段が抽出した作画依頼者の輪郭における縦横比、及び上下の面積比を前記理想的な縦横比、及び面積比に近づけるよう制御する輪郭特徴強調手段と、顔における各要素部位の画像データを収容した要素部位データ記憶装置と、該要素部位データ記憶装置に記憶した要素部位を表示して作画依頼者により選択できるようにしたインターフェイスとで構成され、作画依頼者における顔の輪郭を理想的な輪郭とすると共に前記インターフェイスを介して作画依頼者が選択した要素部位を配置して似顔絵を作成することを特徴とする。
【００１１】
このようにすることにより、顔における輪郭は理想的な縦横比及び面積比にでき、顔における各要素部位は要素部位データ記憶装置から作画依頼者が選択して似顔絵を作成できるから、作画依頼者の希望するような似顔絵が容易に作成できる。
【００１２】
そして請求項４に記載した発明は、
作画依頼者を撮像する撮像装置と、該撮像装置の撮像結果から作画依頼者の顔の輪郭を抽出する輪郭抽出手段と、作画依頼者の顔における要素部位を抽出する要素部位抽出手段とを有し、顔における特徴部分を強調して似顔絵を作成する似顔絵作成装置において、
顔の輪郭における理想的な縦横比、及び面積比を記憶し、前記輪郭抽出手段が抽出した作画依頼者の輪郭における縦横比、及び上下の面積比を前記理想的な縦横比、及び面積比に近づけるよう制御する輪郭特徴強調手段と、有名人の顔画像データを収容した顔画像データ記憶装置と、該顔画像データ記憶装置に記憶した顔画像を表示し、該顔画像における要素部位を作画依頼者により選択できるようにしたインターフェイスとで構成され、作画依頼者における顔の輪郭を理想的な輪郭とすると共に前記インターフェイスを介して作画依頼者が選択した有名人の顔の要素部位を配置して似顔絵を作成することを特徴とする。
【００１３】
このようにすることにより、顔における輪郭は理想的な縦横比及び面積比にでき、顔における各要素部位は作画依頼者が希望する有名人の要素部位を使った似顔絵を作成できるから、作画依頼者の希望するような似顔絵が容易に作成できる。
【００１４】
そして請求項２または５に記載した発明は、
前記作成した似顔絵を表示する表示手段と、該表示手段に表示した似顔絵の輪郭や要素部位の強調処理に対する作画依頼者の変更要求を前記輪郭特徴強調手段と要素部位特徴強調手段とに伝えるインターフェイスとを有し、前記作画依頼者の変更要求に従って似顔絵の強調内容を変更できるようにしたことを特徴とする。
及び、
前記インターフェイスは、表示手段に表示した似顔絵の輪郭に対する作画依頼者の変更要求を前記輪郭特徴強調手段に伝え、作画依頼者の変更要求に従って似顔絵の強調内容を変更できるようにしたことを特徴とする。
【００１５】
このように作成して表示装置に表示された似顔絵に変更点がある場合は、作画依頼者の変更要求を前記輪郭特徴強調手段と要素部位特徴強調手段とに伝えることにより、作画依頼者の希望する似顔絵とすることができ、作画依頼者の好みを反映できるようにした似顔絵作成装置を提供することができる。
【００１６】
また請求項６に記載した発明は、
前記似顔絵を作成する課程で強調結果を記憶するワークメモリを有し、前記インターフェイスを介してワークメモリ内の似顔絵を直接変更できるようにしたことを特徴とする。
【００１７】
このようにすることにより、表示された似顔絵より例えばもっと痩せて表示させたい、または太らせて表示させたいという作画依頼者の要求がある場合でも、画像全体の縦横比を変更する操作や、黒子の追加、移動といった要素部位の直接追加・変更操作が可能となり、より作画依頼者の好みを反映できるようにした似顔絵作成装置を提供することができる。
【００１８】
【発明の実施の形態】
以下、図面に基づいて本発明の実施の形態を例示的に詳しく説明する。但し、この実施の形態に記載されている構成要素部位の寸法、材質、形状、その相対配置などは、特に特定的な記載がない限りはこの発明の範囲をそれのみに限定する趣旨ではなく、単なる説明例に過ぎない。
【００１９】
図１は本発明になる似顔絵作成装置の第１実施形態を示した概略ブロック図、図２は本発明になる似顔絵作成装置の第２実施形態を示した概略ブロック図、図３は本発明になる似顔絵作成装置の第３実施形態を示した概略ブロック図、図４は本発明になる似顔絵作成装置の第１実施形態における輪郭特徴強調部の輪郭特徴の強調方法を説明するための図、図５は本発明になる似顔絵作成装置の第１実施形態における要素部位特徴強調部の強調方法を説明するための図、図６は本発明になる似顔絵作成装置の第３実施形態における要素部位取り替え装置による要素部位特徴の強調方法を説明するための図である。
【００２０】
図中同一構成要素には同一番号を付してあり、１は似顔絵を作成する人物、１０は似顔絵を作成する人物１を撮像する撮像装置、２０は撮像装置１０から得られた画像をアナログ／デジタル変換してデジタル化する画像デジタル化装置、３０は似顔絵を作成するためのデータ処理計算機で、３１は人物における顔などの対象部分を抽出する対象抽出部、３２は抽出した顔などの対象部分から輪郭を抽出する輪郭抽出部、３３は顔における例えば目のような基準となる要素部位を抽出する基準抽出部、３４は基準となる要素部位以外の例えば髪、眉、鼻、口などの顔を構成する要素部位を抽出する要素部位抽出部で、これら対象抽出部３１、輪郭抽出部３２、基準抽出部３３、要素部位抽出部３４は、例えば微分回路を用いることにより、画像の明るさの変化する部分や色の変化する部分を抽出したり、パターンマッチング法などを用いて顔を構成する輪郭や要素部位を抽出する。３６は強調した輪郭と要素部位を合成するための合成部、３７は輪郭の特徴を抽出する輪郭特徴強調部、３８は要素部位の特徴を強調する要素部位特徴強調部、３９は合成途中の強調画像を一時的に格納するワーキングメモリ、４０は似顔絵の出力装置、５０は合成した似顔絵を表示するＣＲＴやキーボードなどの入力装置を備えたユーザインターフェイス、６０は顔における髪、眉、目、鼻、口などの顔を構成する要素部位のいろいろな要素部位を記憶した要素部位データベース、７０は俳優やタレントなどの有名人の顔における要素部位を抽出して入れ替えることができるようにした要素部位取り替え装置、７１は俳優やタレントなどの有名人の顔画像を記憶した顔画像データベース、７２はこの顔画像データベース７１に記憶された有名人の顔画像から、作画依頼者の希望する有名人の要素部位を抽出する要素部位抽出部である。
【００２１】
このうち輪郭特徴強調部３７は、輪郭抽出部３２が抽出した輪郭の、面長や丸顔等の特徴を表す縦横比、頭でっかちや下膨れ等の特徴を表す対象画像の基準部分の上と下の面積比など、特徴となるデータを生成する輪郭特徴データ生成部３７１、この輪郭データ特徴生成部３７１が生成した輪郭の特徴を強調するため、例えばこの輪郭が図４（Ａ）のように面長な場合、図４（Ｂ）のように縦ｂの長さをそのままにして横ａの長さを１．２倍と大きくしたり、あるいは輪郭が太めの場合は横ａの長さを小さくしてスリムに見せるなどの強調方法や、もしくは例えば図４（Ｃ）のように下膨れで顔の上面積ｃに対して下面積ｄが大きい場合、図４（Ｄ）のように下面積ｄを０．８倍して上面積ｃと下面積ｄの大きさがほぼ等しくなるようにしたり、あるいは逆に上面積ｃが下面積ｄより大きい場合は上面積ｃを小さくするなどの強調方法を格納した輪郭特徴強調データベース３７２、そして輪郭データ特徴生成部３７１が生成した輪郭の特徴を、この輪郭特徴強調データベース３７２に記憶されている強調方法により強調処理し、合成部３６を介してワーキングメモリ３９に格納する輪郭特徴強調処理部３７３とからなっている。
【００２２】
また要素部位特徴強調部３８は、顔における要素部位の特徴データ、すなわち例えば目の場合は、たれ目や吊上がり目等の特徴と両目の目頭と目尻を結ぶ線の交差角度や、細い目やパッチリ目等の特徴を表す目の縦横比等を生成する要素部位特徴データ生成部３８１、この要素部位特徴データ生成部３８１が生成した要素部位の特徴を強調するため、例えば図５（Ａ）のように目尻が目頭より下がっているたれ目（この場合は左目を示す）の場合、この目尻と目頭を結ぶ線が水平線と交差する角度θ度（傾斜角度）を検出し、図５（Ｂ）のようにその交差角度θ度を０度に戻す強調や、図５（Ｃ）のように縦ｆの長さに対して横ｅの長さが大きい細目の場合、図５（Ｄ）のように横ｅの長さを例えば０．８倍し、縦ｆの長さを１．２倍してパッチリ目にしたりする強調方法を格納した要素部位特徴強調データベース３８２、そして要素部位特徴データ生成部３８１で生成した要素部位特徴データを基準に、この要素部位特徴強調データベース３８２に記憶されている強調方法により強調処理してワーキングメモリ３９に格納する要素部位特徴強調処理部３８３からなっている。なお、今の場合、目の特徴について記したが、これは髪や眉、鼻や口などについても同様にしてそれぞれの強調処理方法が要素部位特徴強調データベース３８２に記憶されている。
【００２３】
このように構成した本発明の似顔絵作成装置の第１実施形態について図１、図４、図５を用いて説明すると、人物１を撮像した撮像装置１０からの信号は、アナログ／デジタル変換回路を含む画像デジタル化装置２０によってデジタル化され、データ処理計算機３０の対象抽出部３１で似顔絵作成の対象となる部分が抽出される。そしてさらに輪郭抽出部３２で顔の輪郭が抽出され、次に例えば目などの顔の基準となる要素部位が基準抽出部３３で、その他の髪や眉、鼻や口などの顔の要素部位が要素部位抽出部３４で抽出される。なおこれら対象抽出、輪郭抽出、基準要素部位抽出、要素部位抽出などは、前記したように微分回路を用いて明るさや色の変化点を検出したり、テンプレートマッチングなどの方法を用いておこなう。
【００２４】
こうして輪郭と顔を構成する要素部位が抽出されると、次に輪郭特徴強調部３７における輪郭特徴データ生成部３７１が、輪郭抽出部３２によって得られた輪郭がどのような縦横比か、及び上下の面積比はどのような構成になっているかを調べて輪郭の特徴データを生成する。そしてこの輪郭の縦横比が図４（Ａ）に示したような例えば面長である場合、輪郭特徴強調処理部３７３は、輪郭特徴強調データベース３７２から面長の場合の強調処理方法、例えば図４（Ｂ）に示したように輪郭の横ａの長さを１．２倍して標準の輪郭にする強調処理方法を選択し、面長の輪郭が標準の縦横比の輪郭となるように強調処理する。また輪郭特徴データ生成部３７１の生成した輪郭特徴データが、図４（Ｃ）に示したように顔の上面積ｃに対して下面積ｄが大きい下膨れの場合、例えば図４（Ｄ）に示したように下面積ｄを０．８倍して上面積ｃと下面積ｄの大きさがほぼ等しくなる強調処理方法を選択し、下膨れの輪郭が標準のすっきりした標準の縦横比の輪郭となるように強調処理する。そしてこれらの強調処理結果は、合成部３６を介し、ワーキングメモリ３９の所定の位置に記憶される。
【００２５】
一方、要素部位特徴データ生成部３８１は、基準抽出部３３や要素部位抽出部３４が検出した目など、顔における基準となる要素部位やその他の髪、眉、鼻、口などの要素部位につき、それぞれの特徴となる点、例えば目であれば目頭と目尻とを結ぶ線が水平線と交差する角度（傾斜角度）、目における縦と横の長さ比などの特徴を生成する。すると要素部位特徴強調処理部３８３は、要素部位特徴強調データベース３８２に記憶されている目頭と目尻とを結ぶ線が水平線と交差する角度による強調処理を選択し、例えば図５（Ａ）のように交差角度θ度のたれ目の場合は、図５（Ｂ）のようにこの角度が０度になるよう強調処理する。また図５（Ｃ）のように目の縦ｆの長さに対して横ｅの長さが大きい細目の場合、図５（Ｄ）のように横ｅの長さを例えば０．８倍し、縦ｆの長さを１．２倍するなどの強調処理を選択してパッチリ目にして強調処理をおこなう。そしてこれらの強調処理結果は、合成部３６を介し、ワーキングメモリ３９の所定の位置に記憶される。
【００２６】
こうして強調処理のされた似顔絵の画像がワーキングメモリ３９に記憶されると、それが合成部３６を介してユーザインターフェイス５０に備えられたＣＲＴに表示され、その似顔絵が作画依頼者の望むものであった場合は出力装置４０で出力されて似顔絵が完成する。またこの表示された似顔絵が作画依頼者の気に入らない場合、作画依頼者はインターフェイス５０に備えられたキーボードなどの入力装置を操作し、合成部３６を介して輪郭特徴強調部３７、要素部位特徴強調部３８に再処理を指示する。そのため輪郭特徴強調部３７、要素部位特徴強調部３８は、指示に従って再処理し、作画依頼者の希望した似顔絵になるようにする。またこの場合、輪郭特徴強調部３７、要素部位特徴強調部３８に再処理を指示するのではなく、インターフェイス５０に備えられた入力装置からの入力で、ワーキングメモリ３９に記憶された似顔絵を直接変更できるようにしても良い。このようにすると、例えば表示された似顔絵をもっと痩せさせたい、または太らせたいといった要望や、黒子の追加、移動といった要素部位の直接追加・変更操作が実現でき、より作画依頼者の好みを反映できる似顔絵作成装置を提供することができる。
【００２７】
以上が本発明になる似顔絵作成装置の第１実施形態の動作であるが、以上説明してきた第１実施形態では、顔における要素部位は全て作画依頼者本人のものを強調処理して使っていたため、その強調処理には限界があり、好みの似顔絵が得られない場合がある。それに対処したのが図２に示した本発明における第２実施形態である。この第２実施形態においては、図１に示した第１実施形態における要素部位特徴強調部３８の代わりに、顔における髪、眉、目、鼻、口などの顔を構成する要素部位をいろいろ記憶した要素部位データベース６０を配したものである。
【００２８】
すなわちこの図２に示した第２実施形態においては、図１に示した第１実施形態と同様、人物１を撮像した撮像装置１０からの信号は、アナログ／デジタル変換回路を含む画像デジタル化装置２０によってデジタル化され、データ処理計算機３１の対象抽出部３１で似顔絵作成の対象となる部分が抽出される。そして輪郭抽出部３２で顔の輪郭が、基準抽出部３３で目などの顔の基準となる要素部位が、そして要素部位抽出部３４でその他の髪や眉、鼻や口などの顔の要素部位が抽出される。
【００２９】
そして得られた顔の輪郭は、輪郭特徴強調部３７の輪郭特徴データ生成部３７１により、前記したようにどのような縦横比か、及び上下の面積比はどのような構成になっているかが調べられて輪郭の特徴データが生成され、その結果を基に輪郭特徴強調処理部３７３が、輪郭特徴強調データベース３７２に記憶されている輪郭の縦横比と上下の面積比のそれぞれに対応した強調処理方法を選択して前記したのと同様に強調処理を実施する。そしてこの輪郭の強調処理結果と基準抽出部３３、要素部位抽出部３４などで抽出された目などの顔の基準となる要素部位と、その他の髪や眉、鼻や口などの顔の要素部位が合成部３６を介し、ワーキングメモリ３９の所定の位置に記憶されると共に、合成部３６を介してユーザインターフェイス５０に備えられたＣＲＴなどの表示装置に表示される。
【００３０】
それと同時に合成部３６は、髪、眉、目、鼻、口などの要素部位を夫々複数記憶している要素部位データベース６０からそれぞれの要素部位を読み出し、ユーザインターフェイス５０のＣＲＴなどの表示装置に表示させる。そのため作画依頼者は、ユーザインターフェイス５０に設けられたキーボードなどの入力装置を用い、自分の好みに最も適していると思われる髪、眉、目、鼻、口などを選択して要素部位データベース６０に指示し、合成部３６を介してワーキングメモリ３９に記憶させ、ＣＲＴなどの表示装置を備えたユーザインターフェイス５０に表示されている作画依頼者の顔要素部位と置き換えてゆき、全ての要素部位が選択されて似顔絵が完成すると、出力装置４０で出力して似顔絵が完成する。
【００３１】
またこの表示された似顔絵における輪郭が作画依頼者の気に入らない場合、作画依頼者はインターフェイス５０に備えられたキーボードなどの入力装置を操作し、合成部３６を介して輪郭特徴強調部３７に再処理を指示する。そのため輪郭特徴強調部３７は、指示に従って再処理し、作画依頼者の希望した似顔絵になるようにする。なお、顔における要素部位が気に入らない場合は前記したようにして交換できる。またこの場合、輪郭特徴強調部３７に再処理を指示するのではなく、インターフェイス５０に備えられた入力装置からの入力で、ワーキングメモリ３９に記憶された似顔絵の輪郭やその他の要素部位を直接変更できるようにしても良い。このようにすると、例えば表示された似顔絵をもっと痩せさせたい、または太らせたいといった要望や、黒子の追加、移動といった要素部位の直接追加・変更操作が実現でき、より作画依頼者の好みを反映できる似顔絵作成装置を提供することができる。
【００３２】
以上が本発明になる似顔絵作成装置の第２実施形態の動作であるが、この第２実施形態により、作画依頼者は自分の好みにあった要素部位要素部位を用いて好みの似顔絵を作ることができるが、更に人によっては、この要素部位を俳優やタレントなど、有名人に似せて作りたいという人もいる。それに対処したのが図３に示した本発明における第３実施形態である。この第３実施形態においては、図１に示した第１実施形態における要素部位特徴強調部３８、または図２に示した要素部位データベース６０の代わりに、俳優やタレントなどの有名人の顔画像とその要素部位を予め格納した図６に７１で示したような顔画像データベースを設け、作画依頼者がインターフェイス５０のキーボードなどを用い、好みの有名人の顔画像における要素部位を抽出できる要素部位抽出部７２を備えた要素部位取り替え装置７０を設けたものである。
【００３３】
すなわちこの図３に示した第３実施形態においては、図１に示した第１実施形態と同様、人物１を撮像した撮像装置１０からの信号は、アナログ／デジタル変換回路を含む画像デジタル化装置２０によってデジタル化され、データ処理計算機３１の対象抽出部３１で似顔絵作成の対象となる部分が抽出される。そして輪郭抽出部３２で顔の輪郭が、基準抽出部３３で目などの顔の基準となる要素部位が、そして要素部位抽出部３４でその他の髪や眉、鼻や口などの顔の要素部位が抽出される。
【００３４】
そして得られた顔の輪郭は、輪郭特徴強調部３７の輪郭特徴データ生成部３７１により、前記したようにどのような縦横比か、及び上下の面積比はどのような構成になっているかが調べられて輪郭の特徴データが生成される。そしてその結果を基に輪郭特徴強調処理部３７３が、輪郭特徴強調データベース３７２に記憶されている輪郭の縦横比と上下の面積比のそれぞれに対応した強調処理方法を選択して前記したのと同様に強調処理を実施する。そしてこの輪郭の強調処理結果と基準抽出部３３、要素部位抽出部３４などで抽出された目などの顔の基準となる要素部位と、その他の髪や眉、鼻や口などの顔の要素部位が合成部３６を介し、ワーキングメモリ３９の所定の位置に記憶されると共に合成部３６を介してユーザインターフェイス５０に送られ、図６（Ａ）に示したようにＣＲＴなどの表示装置に表示される。
【００３５】
それと同時に合成部３６は、要素部位取り替え装置７０における顔要素部位データベース７１に記憶された俳優やタレントなどの有名人の顔画像を読み出し、もしくは図６に５０として示したように、ユーザインターフェイス５０におけるＣＲＴなどの表示装置に人名と要素部位名を入力できるように表示させる。そのため作画依頼者は、ユーザインターフェイス５０に設けられたキーボードなどの入力装置を用い、要素部位抽出部７２で有名人の中から好みの人を選ぶと共にその人の顔の要素部位を顔画像データベース７１から選択して抽出する。そしてそれを、合成部３６を介してユーザインターフェイス５０のＣＲＴなどに表示されている作画依頼者の要素部位と交換し、図６（Ｂ）のように表示させる。そのためユーザインターフェイス５０のＣＲＴなどの表示装置には、作画依頼者の強調処理した輪郭と有名人の要素部位を用いた似顔絵が表示され、全ての要素部位が選択されて似顔絵が完成すると、出力装置４０で出力して似顔絵が完成する。
【００３６】
なお、この表示された似顔絵における輪郭が作画依頼者の気に入らない場合は前記と同様、作画依頼者はインターフェイス５０に備えられたキーボードなどの入力装置を操作し、合成部３６を介して輪郭特徴強調部３７に再処理を指示する。そのため輪郭特徴強調部３７は、指示に従って再処理し、作画依頼者の希望した似顔絵になるようにする。また、顔における要素部位が気に入らない場合はさらに有名人の要素部位を強調したり他の有名人の要素部位などに交換しても良い。さらにこの場合、輪郭特徴強調部３７に再処理を指示するのではなく、インターフェイス５０に備えられた入力装置からの入力で、ワーキングメモリ３９に記憶された似顔絵の輪郭やその他の要素部位を直接変更できるようにしても良い。このようにすると、例えば表示された似顔絵をもっと痩せさせたい、または太らせたいといった要望や、黒子の追加、移動といった要素部位の直接追加・変更操作が実現でき、より作画依頼者の好みを反映できる似顔絵作成装置を提供することができる。
【００３７】
【発明の効果】
以上記載の如く本発明の請求項１に記載した発明によれば、顔の輪郭は理想的な縦横比及び面積比にでき、顔における各要素部位も、縦横比や傾斜角度を理想的な値に近づけた似顔絵が自動的に作成でき、作画依頼者にとって好ましい似顔絵を作成できる。
【００３８】
そして請求項３に記載した本発明によれば、顔における輪郭は理想的な縦横比及び面積比にでき、顔における各要素部位は要素部位データ記憶装置から作画依頼者が選択して似顔絵を作成できるから、作画依頼者の希望するような似顔絵が容易に作成できる。
【００３９】
また請求項４に記載した本発明によれば、顔における輪郭は理想的な縦横比及び面積比にでき、顔における各要素部位は作画依頼者が希望する有名人の要素部位を使った似顔絵を作成できるから、作画依頼者の希望するような似顔絵が容易に作成できる。
【００４０】
そして請求項２または５に記載した本発明によれば、表示装置に表示された似顔絵に変更点がある場合は、作画依頼者の変更要求を前記輪郭特徴強調手段と要素部位特徴強調手段とに伝えることにより、作画依頼者の希望する似顔絵とすることができ、作画依頼者の好みを反映できるようにした似顔絵作成装置を提供することができる。
【００４１】
また請求項６に記載した本発明によれば、表示された似顔絵より例えばもっと痩せて表示させたい、または太らせて表示させたいという作画依頼者の要求がある場合でも、画像全体の縦横比を変更する操作や、黒子の追加、移動といった要素部位の直接追加・変更操作が可能となり、より作画依頼者の好みを反映できるようにした似顔絵作成装置を提供することができる。
【図面の簡単な説明】
【図１】本発明になる似顔絵作成装置の第１実施形態を示した概略ブロック図である。
【図２】本発明になる似顔絵作成装置の第２実施形態を示した概略ブロック図である。
【図３】本発明になる似顔絵作成装置の第３実施形態を示した概略ブロック図である。
【図４】本発明になる似顔絵作成装置の第１実施形態における輪郭特徴強調部の輪郭特徴の強調方法を説明するための図である。
【図５】本発明になる似顔絵作成装置の第１実施形態における要素部位特徴強調部の強調方法を説明するための図である。
【図６】本発明になる似顔絵作成装置の第３実施形態における要素部位取り替え装置による要素部位特徴の強調方法を説明するための図である。
【符号の説明】
１　人物
１０　撮像装置
２０　画像デジタル化装置
３０　データ処理計算機
３１　対象抽出部
３２　輪郭抽出部
３３　基準抽出部
３４　要素部位抽出部
３６　合成部
３７　輪郭特徴強調部
３８　要素部位特徴強調部
３９　ワーキングメモリ
４０　出力装置
３７１　輪郭特徴データ生成部
３７２　輪郭特徴強調データベース
３７３　輪郭特徴強調処理部
３８１　要素部位特徴データ生成部
３８２　要素部位特徴強調データベース
３８３　要素部位特徴強調処理部
【図１】
2004110728.tif 000003
【図２】
2004110728.tif 000004
【図３】
2004110728.tif 000005
【図４】
2004110728.tif 000006
【図５】
2004110728.tif 000007
【図６】
2004110728.tif 000008